(57)【要約】【課題】組付け作業性が向上したカメラ用羽根駆動装置を提供する。【解決手段】カメラ用駆動装置１は、開口１５を有する基板１０と、開口１５を開閉自在に支持された羽根２０ａ〜２０ｃと、基板１０に対し回動自在に支持されるとともに駆動源から供給された駆動力を羽根へ伝達する駆動リング３０とを備え、駆動リング３０の一部と摺接して駆動リング３０を支持する主要支持部１３と、組み付け作業中に主要支持部１３からの支持が外れて駆動リング３０が傾くことを抑制する突出部３１ａ〜３１ｃ及び補助支持部１１ａ〜１１ｃとを備えている。【選択図】図２
2008164726.tif 000002
【特許請求の範囲】
【請求項１】
開口を有する基板と、前記開口を開閉自在に支持された羽根と、前記基板に対し回動自在に支持されるとともに駆動源から供給された駆動力を前記羽根へ伝達する駆動リングとを備え、
前記駆動リングの一部と摺接して該駆動リングを支持する主要支持部と、
組み付け作業中に前記主要支持部からの支持が外れて前記駆動リングが傾くことを抑制する傾き抑制手段とを備えている、ことを特徴とするカメラ用羽根駆動装置。
【請求項２】
前記主要支持部は、前記駆動リングの径方向の幅のうち内側の部分を支持し、
前記傾き抑制手段は、前記駆動リングから径方向外側に突出した突出部と、前記突出部を支持する補助支持部とを含む、ことを特徴とする請求項１に記載のカメラ用羽根駆動装置。
【発明の詳細な説明】
【技術分野】
【０００１】
本発明は、カメラ用羽根駆動装置に関する。
【背景技術】
【０００２】
従来より、駆動リングを用いて羽根を駆動するカメラ用羽根駆動装置が知られている。例えば特許文献１には、開口を有する基板上に駆動リングを回動自在に配置し、開口を開閉するための羽根を駆動リングに係合させることによって、駆動リングの回動に応じて羽根が開閉動するカメラ用羽根駆動装置が開示されている。このようなカメラ用羽根駆動装置は、作業者が手作業で組付けるものが多い。
【０００３】
【特許文献１】特開平５−３４０７１１号公報
【発明の開示】
【発明が解決しようとする課題】
【０００４】
このようなカメラ用羽根駆動装置では、駆動リングを基板に対して回動自在に支持する必要があるため、基板には円筒状に形成されて、駆動リングの一部と摺接する支持部が形成されている。このため、このようなカメラ用羽根駆動装置を組付けるには、支持部に駆動リングを乗せ、駆動リング上に羽根などの各部品を配置する必要がある。
しかしながらこの支持部は、駆動リングよりも径方向に薄い幅を有して形成され、駆動リングの径方向の幅のうち内側の部分のみと摺接する。従って、駆動リングの羽根作動ピンに羽根を組み付けているときに、その羽根又は組み付けようとした羽根作動ピンを押してしまうと、駆動リングが基板に対して傾いてしまい、駆動リングよりも上方に配置した部品などの係合は外れてしまう場合があった。このため組付け作業性が悪化していた。
また、支持部と駆動リングとが接する面積を増やすことにより、駆動リングを安定して支持することができるが、摺動抵抗が増大するという問題がある。
【０００５】
そこで、本発明は、組付け作業性が向上したカメラ用羽根駆動装置を提供することを目的とする。
【課題を解決するための手段】
【０００６】
上記目的は、開口を有する基板と、前記開口を開閉自在に支持された羽根と、前記基板に対し回動自在に支持されるとともに駆動源から供給された駆動力を前記羽根へ伝達する駆動リングとを備え、前記駆動リングの一部と摺接して該駆動リングを支持する主要支持部と、組み付け作業中に前記主要支持部からの支持が外れて前記駆動リングが傾くことを抑制する傾き抑制手段とを備えている、ことを特徴とするカメラ用羽根駆動装置によって達成できる。
この構成により、前記主要支持部からの支持が外れて前記駆動リングが傾くことを抑制することができるので、組み付け作業性が向上する。
【０００７】
また、上記構成において、前記主要支持部は、前記駆動リングの径方向の幅のうち内側の部分を支持し、前記傾き抑制手段は、前記駆動リングから径方向外側に突出した突出部と、前記突出部を支持する補助支持部とを含む、構成を採用できる。
この構成により、駆動リングの径方向内側の部分と外側とを支持することができるので、組付け作業中の駆動リングの傾きの発生を抑制できる。また、補助支持部は駆動リングを径方向外側から支持するので、主要支持部と駆動リングとの摺接する領域を小さくした場合であっても、駆動リングの傾きの発生を抑制できる。このため、主要支持部と駆動リングとの摺接する領域を小さくすることにより、駆動リングと主要支持部との摺動抵抗を小さくすることができる。
【発明の効果】
【０００８】
本発明によれば、組付け作業性が向上したカメラ用羽根駆動装置を提供できる。
【発明を実施するための最良の形態】
【０００９】
以下、図面を参照して本発明の実施形態について、添付図面を参照しつつ説明する。
図１は本発明の一実施形態に係るカメラ用羽根駆動装置の一部の構成を示した正面図、図２はカメラ用羽根駆動装置の一部の構成を示した斜視図、図３は図１のＡ−Ａ線方向の断面図である。
【００１０】
カメラ用羽根駆動装置は、基板１０、羽根２０ａ〜２０ｃ、駆動リング３０、歯車群４０などから構成される。
基板１０は樹脂を射出成形することによって成形され、その中央部に撮影用の開口１５を有している。基板１０には開口１５を中心として円筒状に被写体側に突出している凸面１４が形成されている。凸面１４には羽根２０ａに形成された度決め孔２１ａと係合し、羽根２０ａの作動角度を規定する度決めピン１６が形成されている。羽根２０ａは、駆動領域に歯車群４０があり、度決めピンが羽根２０ａの駆動領域端には設けられないため、このような構成となっている。
羽根２０ｂ、２０ｃにも羽根２０ａと同様に孔２１ｂ、２１ｃが設けられているが、これに係合するピンはない。これは、共通の羽根を使用しているためである。
【００１１】
凸面１４よりも径方向外側には、駆動リング３０を支持するための主要支持部１３が形成されている。主要支持部１３は図３に示すように、凸面１４よりも段部を介して低くい位置に形成されている。主要支持部１３は図１においてハッチングで示した部分である。主要支持部１３は大部分が駆動リング３０の径方向の幅のうち内側の部分と摺動可能に当接する。
【００１２】
主要支持部１３よりも更に径方向外側には底面部１２ａ〜１２ｃ、軸部１７ａ〜１７ｃが形成されている。底面部１２ａ〜１２ｃには、補助支持部１１ａ〜１１ｃが形成されている。補助支持部１１ａ〜１１ｃは、それぞれ駆動リング３０に形成された突出部３１ａ〜３１ｃと摺動可能に当接する。補助支持部１１ａ〜１１ｃ及び突出部３１ａ〜３１ｃは、傾き抑制手段としての機能を有する。軸部１７ａ〜１７ｃは、それぞれ羽根２０ａ〜２０ｃを回転可能に軸支する。
【００１３】
歯車群４０は、基板１０の撮像素子側に配置された駆動源としてのアクチュエータ（不図示）からの駆動を駆動リング３０へ伝達する。詳細には、アクチュエータの回転軸に組み付けられた歯車４１が、隣接する歯車４２ａと噛合し、歯車４２ａと同軸に形成された歯車４２ｂが隣接する歯車４３ａと噛合し、歯車４３ａと同軸に形成された歯車４３ｂは、駆動リング３０の外周の一部に形成された歯部３３と噛合する。これにより、アクチュエータの駆動が駆動リング３０へ伝達される。
尚、歯車４３ａには、位置検出用の透孔４３ｃが形成されている。
【００１４】
羽根２０ａ〜２０ｃは、それぞれ同一形状に形成されている。羽根２０ａには度決め孔２１ａが形成され、度決めピン１６と係合する。また、羽根２０ａ〜２０ｃは、それぞれ長孔２２ａ〜２２ｃが形成され、駆動リング３０に形成された駆動ピン３２ａ〜３２ｃとそれぞれ係合する。
【００１５】
駆動リング３０は、樹脂により形成され、駆動リング３０の径方向の幅は、主要支持部１３の径方向の幅よりも基本的に大きく形成されている。また、駆動リング３０には、前述したように径方向外側に向けて突出した突出部３１ａ〜３１ｃが一体に形成されている。突出部３１ａ〜３１ｃには、光軸方向の被写体側に向けて突出した駆動ピン３２ａ〜３２ｃがそれぞれ一体に形成されている。また、突出部３１ａ〜３１ｃの撮像素子側の面は、それぞれ補助支持部１１ａ〜１１ｃと摺動可能に当接する。
【００１６】
アクチュエータから駆動が伝達された駆動リング３０は所定の範囲を回動し、これに伴って駆動ピン３２ａ〜３２ｃが回動し、羽根２０ａ〜２０ｃは開閉動作を行う。図１においては、駆動リング３０が反時計方向に回動すると、羽根２０ａ〜２０ｃはそれぞれ軸部１７ａ〜１７ｃを支点として羽根２０ａ〜２０ｃのそれぞれの開口１５側の先端が開口１５の中心に向かって揺動する。
【００１７】
次に、補助支持部１１ａ〜１１ｃ及び突出部３１ａ〜３１ｃについて詳細に説明する。
補助支持部１１ａ〜１１ｃは突出部３１ａ〜３１ｃを支持し、主要支持部１３は駆動リング３０の径方向内側の部分を支持する。これにより、補助支持部１１ａ〜１１ｃ及び主要支持部１３は、駆動リング３０を安定的に支持することができる。従って、組付け作業中に、羽根や突出部を押してしまっても、駆動リング３０が基板１０に対して傾くことを抑制できるので組付け作業性が向上する。
【００１８】
また、補助支持部１１ａ〜１１ｃは駆動リング３０を径方向外側から支持するので、主要支持部１３と駆動リング３０との摺接する領域を小さくした場合であっても、駆動リングの傾きの発生を抑制できる。このため、主要支持部１３と駆動リング３０との摺接する領域を小さくすることにより、駆動リング３０と主要支持部１３との摺動抵抗を小さくすることができる。
【００１９】
また、図２及び図３に示すように、補助支持部１１ａ〜１１ｃはそれぞれ、底面部１２ａ〜１２ｃからリブ状に光軸方向の被写体側に突出して形成される。これにより、底面部１２ａ〜１２ｃの強度が増し、ひねりや曲げ等の外力による基板１０の変形を抑制させる効果もある。
【００２０】
補助支持部１１ａ〜１１ｃは、光軸を中心に周方向に均等に設けられている。この構成により、駆動リングを光軸を中心にバランスよく支持することができる。
また、補助支持部１１ａには図１及び図２に示すように、突出部３１ａと当接することにより駆動リング３０の回動範囲を規制するストッパ３４、３５が一体に形成されている。
【００２１】
以上本発明の好ましい実施形態について詳述したが、本発明は係る特定の実施形態に限定されるものではなく、特許請求の範囲に記載された本発明の要旨の範囲内において、変形・変更が可能である。
【図面の簡単な説明】
【００２２】
【図１】本発明の一実施形態に係るカメラ用羽根駆動装置の一部の構成を示した正面図である。
【図２】カメラ用羽根駆動装置の一部の構成を示した斜視図である。
【図３】図１のＡ−Ａ線方向の断面図である。
【符号の説明】
【００２３】
１０                              基板
１１ａ〜１１ｃ                    補助支持部
１２ａ〜１２ｃ                    底面部
１３                              主要支持部
１４                              凸面
１５                              開口
１６                              度決めピン
１７ａ〜１７ｃ                    軸部
２０ａ〜２０ｃ                    羽根
２１ａ〜２１ｃ                    度決め孔
２２ａ〜２２ｃ                    長孔
３０                              駆動リング
３１ａ〜３１ｃ                    突出部
３２ａ〜３２ｃ                    駆動ピン
３３                              歯部
３４、３５                        ストッパ
４０                              歯車群
【図１】
2008164726.tif 000003
【図２】
2008164726.tif 000004
【図３】
2008164726.tif 000005